【手続補正書】
【提出日】平成24年7月30日(2012.7.30)
【手続補正１】
【補正対象書類名】特許請求の範囲
【補正対象項目名】全文
【補正方法】変更
【補正の内容】
【特許請求の範囲】
【請求項１】
遊技球の入賞を検知する始動入賞口への入賞を契機に、入賞検知した遊技球を始動保留球として記憶する保留記憶手段と、
遊技球の入賞検知を契機に判定用乱数の値を取得する乱数取得手段と、
複数の図柄を変動させて行う図柄変動ゲームの開始時に判定用乱数の値と予め設定した大当り判定値とを比較して大当りか否かの大当り抽選を行う大当り抽選手段と、
前記大当り抽選手段による大当り抽選の実行時期よりも前に、判定用乱数の値が大当りを示す大当り値であるか否かを事前判定する事前大当り判定手段と、
前記事前大当り判定手段の判定結果が肯定の場合に付与される大当りの種類を事前判定する事前大当り種判定手段と、
前記事前大当り判定手段の判定結果及び前記事前大当り種判定手段の判定結果を記憶する記憶手段と、
前記事前大当り判定手段の判定結果が肯定の場合、前記保留記憶手段に記憶されている始動保留球内に大当りとなる図柄変動ゲームが含まれていることを報知する報知演出を実行するか否かを決定する演出決定手段と、
前記演出決定手段によって前記報知演出の実行可が決定された場合、該報知演出を実行する演出実行手段と、を備え、
高確率大当り抽選状態時の大当り判定値は、低確率大当り抽選状態時の大当り判定値と共通している共通値と、前記共通値とは異なる非共通値とで構成されている一方、前記低確率大当り抽選状態時の大当り判定値は、前記共通値のみで構成されており、
前記事前大当り判定手段は、前記事前判定を実行する際の抽選確率状態が前記高確率大当り抽選状態の場合、前記共通値と前記非共通値とで構成される事前判定値を用いて前記判定用乱数の値が大当りを示す大当り値であるか否かを事前判定し、前記事前判定を実行する際の抽選確率状態が前記低確率大当り抽選状態の場合、前記共通値のみで構成される事前判定値を用いて前記判定用乱数の値が大当りを示す大当り値であるか否かを事前判定し、
前記演出決定手段は、前記大当り抽選で大当りに当選したことを契機として、大当り遊技中に記憶されている始動保留球を対象に、前記記憶手段に記憶された記憶内容に基づいて、前記始動保留球内に、事前判定を実行する際の抽選確率状態で参照する大当り判定値の数が、大当り遊技終了後の抽選確率状態で参照する大当り判定値の数よりも減少しない特定大当りとなる始動保留球が含まれていることを報知するか否かを決定し、
前記演出実行手段は、前記演出決定手段によって報知演出の実行可が決定された場合、大当り遊技が終了するまでに前記報知演出を実行することを特徴とする遊技機。
【請求項２】
前記大当り判定値と前記事前判定値は、同一の判定用乱数の範囲で同一値に設定されていることを特徴とする請求項１に記載の遊技機。
【請求項３】
前記始動入賞口には、第１始動入賞口と第２始動入賞口を含み、
前記大当り抽選手段には、前記第１始動入賞口への入賞を契機に大当り抽選を行う第１の大当り抽選手段と、前記第２始動入賞口への入賞を契機に大当り抽選を行う第２の大当り抽選手段を含み、
前記第２の大当り抽選手段は、前記第２始動入賞口へ入賞した遊技球が前記始動保留球として前記保留記憶手段に記憶されている場合、前記第１始動入賞口へ入賞した遊技球が前記始動保留球として前記保留記憶手段に記憶されている否かにかかわらず大当り抽選を行い、前記第１の大当り抽選手段は、前記第２始動入賞口へ入賞した遊技球が前記始動保留球として前記保留記憶手段に記憶されておらず、前記第１始動入賞口へ入賞した遊技球が前記始動保留球として前記保留記憶手段に記憶されている場合に大当り抽選を行い、
前記第１の大当り抽選手段と前記第２の大当り抽選手段は、共通の大当り判定値を用いて大当り抽選を行うことを特徴とする請求項１又は請求項２に記載の遊技機。
【請求項４】
前記事前大当り判定手段は、前記第２始動入賞口への入賞を契機に、前記判定用乱数の値が大当りを示す大当り値であるか否かを事前判定することを特徴とする請求項３に記載の遊技機。
【請求項５】
前記事前大当り判定手段は、前記第１始動入賞口への入賞を契機に、前記判定用乱数の値が大当りを示す大当り値であるか否かをさらに事前判定し、
前記演出決定手段は、前記第１始動入賞口への入賞を契機に前記事前大当り判定手段が行った事前判定の判定結果をもとに、複数回の図柄変動ゲームを跨いで予告演出を連続的に出現させる連続予告の実行をさらに決定し、
前記演出実行手段は、前記演出決定手段の決定結果にしたがって前記連続予告を実行することを特徴とする請求項４に記載の遊技機。
【手続補正２】
【補正対象書類名】明細書
【補正対象項目名】０００７
【補正方法】変更
【補正の内容】
【０００７】
上記問題点を解決するために、請求項１に記載の発明は、遊技球の入賞を検知する始動入賞口への入賞を契機に、入賞検知した遊技球を始動保留球として記憶する保留記憶手段と、遊技球の入賞検知を契機に判定用乱数の値を取得する乱数取得手段と、複数の図柄を変動させて行う図柄変動ゲームの開始時に判定用乱数の値と予め設定した大当り判定値とを比較して大当りか否かの大当り抽選を行う大当り抽選手段と、前記大当り抽選手段による大当り抽選の実行時期よりも前に、判定用乱数の値が大当りを示す大当り値であるか否かを事前判定する事前大当り判定手段と、前記事前大当り判定手段の判定結果が肯定の場合に付与される大当りの種類を事前判定する事前大当り種判定手段と、前記事前大当り判定手段の判定結果及び前記事前大当り種判定手段の判定結果を記憶する記憶手段と、前記事前大当り判定手段の判定結果が肯定の場合、前記保留記憶手段に記憶されている始動保留球内に大当りとなる図柄変動ゲームが含まれていることを報知する報知演出を実行するか否かを決定する演出決定手段と、前記演出決定手段によって前記報知演出の実行可が決定された場合、該報知演出を実行する演出実行手段と、を備え、高確率大当り抽選状態時の大当り判定値は、低確率大当り抽選状態時の大当り判定値と共通している共通値と、前記共通値とは異なる非共通値とで構成されている一方、前記低確率大当り抽選状態時の大当り判定値は、前記共通値のみで構成されており、前記事前大当り判定手段は、前記事前判定を実行する際の抽選確率状態が前記高確率大当り抽選状態の場合、前記共通値と前記非共通値とで構成される事前判定値を用いて前記判定用乱数の値が大当りを示す大当り値であるか否かを事前判定し、前記事前判定を実行する際の抽選確率状態が前記低確率大当り抽選状態の場合、前記共通値のみで構成される事前判定値を用いて前記判定用乱数の値が大当りを示す大当り値であるか否かを事前判定し、前記演出決定手段は、前記大当り抽選で大当りに当選したことを契機として、大当り遊技中に記憶されている始動保留球を対象に、前記記憶手段に記憶された記憶内容に基づいて、前記始動保留球内に、事前判定を実行する際の抽選確率状態で参照する大当り判定値の数が、大当り遊技終了後の抽選確率状態で参照する大当り判定値の数よりも減少しない特定大当りとなる始動保留球が含まれていることを報知するか否かを決定し、前記演出実行手段は、前記演出決定手段によって報知演出の実行可が決定された場合、大当り遊技が終了するまでに前記報知演出を実行することを要旨とする。
【手続補正３】
【補正対象書類名】明細書
【補正対象項目名】０００８
【補正方法】変更
【補正の内容】
【０００８】
請求項２に記載の発明は、請求項１に記載の遊技機において、前記大当り判定値と前記事前判定値は、同一の判定用乱数の範囲で同一値に設定されていることを要旨とする。
【手続補正４】
【補正対象書類名】明細書
【補正対象項目名】０００９
【補正方法】変更
【補正の内容】
【０００９】
請求項３に記載の発明は、請求項１又は請求項２に記載の遊技機において、前記始動入賞口には、第１始動入賞口と第２始動入賞口を含み、前記大当り抽選手段には、前記第１始動入賞口への入賞を契機に大当り抽選を行う第１の大当り抽選手段と、前記第２始動入賞口への入賞を契機に大当り抽選を行う第２の大当り抽選手段を含み、前記第２の大当り抽選手段は、前記第２始動入賞口へ入賞した遊技球が前記始動保留球として前記保留記憶手段に記憶されている場合、前記第１始動入賞口へ入賞した遊技球が前記始動保留球として前記保留記憶手段に記憶されている否かにかかわらず大当り抽選を行い、前記第１の大当り抽選手段は、前記第２始動入賞口へ入賞した遊技球が前記始動保留球として前記保留記憶手段に記憶されておらず、前記第１始動入賞口へ入賞した遊技球が前記始動保留球として前記保留記憶手段に記憶されている場合に大当り抽選を行い、前記第１の大当り抽選手段と前記第２の大当り抽選手段は、共通の大当り判定値を用いて大当り抽選を行うことを要旨とする。
【手続補正５】
【補正対象書類名】明細書
【補正対象項目名】００１０
【補正方法】変更
【補正の内容】
【００１０】
請求項４に記載の発明は、請求項３に記載の遊技機において、前記事前大当り判定手段は、前記第２始動入賞口への入賞を契機に、前記判定用乱数の値が大当りを示す大当り値であるか否かを事前判定することを要旨とする。
【手続補正６】
【補正対象書類名】明細書
【補正対象項目名】００１１
【補正方法】変更
【補正の内容】
【００１１】
請求項５に記載の発明は、請求項４に記載の遊技機において、前記事前大当り判定手段は、前記第１始動入賞口への入賞を契機に、前記判定用乱数の値が大当りを示す大当り値であるか否かをさらに事前判定し、前記演出決定手段は、前記第１始動入賞口への入賞を契機に前記事前大当り判定手段が行った事前判定の判定結果をもとに、複数回の図柄変動ゲームを跨いで予告演出を連続的に出現させる連続予告の実行をさらに決定し、前記演出実行手段は、前記演出決定手段の決定結果にしたがって前記連続予告を実行することを要旨とする。
【手続補正７】
【補正対象書類名】明細書
【補正対象項目名】００１２
【補正方法】削除
【補正の内容】